(57)【要約】【課題】様々なサイズの太陽電池パネルに適用でき、特に横長の太陽電池パネルの取付けに好適な太陽電池パネルを用いた外装構造、及びその施工方法を提供する。【解決手段】本発明の太陽電池パネル１を用いた外装構造は、下地４に固定された縦支持材６に、流れ方向に所定間隔を隔てて流水部２２を備える横支持材２を桁行き方向に配設、固定し、流れ方向に隣接する横支持材２，２間に、太陽エネルギー変換モジュール１１を備える太陽電池パネル１を取り付けられたことを特徴とする。【選択図】図１
2011052477.tif 000002
【特許請求の範囲】
【請求項１】
下地に固定された縦支持材に、流れ方向に所定間隔を隔てて流水部を備える横支持材を桁行き方向に配設、固定し、流れ方向に隣接する横支持材間に、太陽エネルギー変換モジュールを備える太陽電池パネルを取り付けられたことを特徴とする太陽電池パネルを用いた外装構造。
【請求項２】
太陽電池パネルの側縁を横支持材に挟持状に取り付けたことを特徴とする請求項１に記載の太陽電池パネルを用いた外装構造。
【請求項３】
横支持材の流水部は、縦支持材に設けた流れ方向に連続する排水部と連絡させていることを特徴とする請求項１又は２に記載の太陽電池パネルを用いた外装構造。
【請求項４】
横支持材は、上方が開放する収容空間を備えるケーブルカバーの取付受部を備え、該取付受部に、太陽電池パネルのケーブルを収容したケーブルカバーを取り付けてなることを特徴とする請求項１〜３の何れか一項に記載の太陽電池パネルを用いた外装構造。
【請求項５】
下地に固定された縦支持材に、流れ方向に所定間隔を隔てて流水部を備える横支持材を桁行き方向に配設、固定する工程と、流れ方向に隣接する横支持材間に、太陽エネルギー変換モジュールを備える太陽電池パネルを取り付ける工程と、を含むことを特徴とする太陽電池パネルを用いた外装構造の施工方法。
【発明の詳細な説明】
【技術分野】
【０００１】
本発明は、様々なサイズの太陽電池パネルに適用でき、縦，横のパネル向きに制限を受けずに安定した取付が行える太陽電池パネルを用いた外装構造、及びその施工方法に関する。
【背景技術】
【０００２】
光エネルギーを電気エネルギーに変換する太陽光発電は、クリーンエネルギーを得る手段として幅広い利用が期待され、近年、建築物の屋根、壁等に適用されるようになり、生活に必要な電力を補うシステムとして実用化されている。
建築物の屋根に太陽エネルギー変換モジュール（太陽電池パネル）を設置する場合、屋根上に支持架台を取付固定して太陽エネルギー変換モジュールを支持する構造、また特許文献１などに開示されるように、太陽エネルギー変換モジュールを複雑な形状のフレーム部材で囲ってパネルを構成して屋根に組み込む構造が提案されている。
【０００３】
しかし、屋根上に支持架台を介して太陽電池パネルを取り付ける構造では、既設の屋根上に支持架台を取付固定する際に雨仕舞いを損なわない限りは問題は生じないが、前記支持架台を確実にかつ強固に取り付ける必要があるため、建築物自体の意匠性を損なうという問題があった。
また、前記特許文献１のように複雑な形状のフレーム材を用いる構造では、フレーム材に複数の排水部を設けたり、さらに複数の部材を組み付けて雨水の浸入を防止するか、浸入した雨水を排水する方法が採られている。そもそもこの方法は、フレーム材の構造が極めて複雑であって、その生産や管理が面倒であり、さらにはジョイント部分での部材数の増加を招き、コスト高騰という問題を抱えている。さらに、特許文献１の構造では、流れ方向に配設固定した支持桟にパネルユニットの側枠のみを固定しているため、上下枠は互いに重合しているだけであり、パネルサイズやパネルの向き（横長パネル）によっては固定箇所が極めて少なくなり、強度上の問題が生じる恐れがある。
【先行技術文献】
【特許文献】
【０００４】
【特許文献１】特開平７−１２２７６９号公報
【発明の概要】
【発明が解決しようとする課題】
【０００５】
前述のように前記特許文献１を含む従来技術は、それぞれに問題を備えるものであり、さらに近年では、屋根面の一部のみに太陽電池パネルを導入するケースが増加しており、例えば採光屋根（採光パネル）と隣接して太陽電池パネルを組み付けるなど、結果的に一つの屋根面を、太陽電池パネルを備える外装面と備えない外装面とで構成されることが多くなってきている。
そこで、本発明は、前記従来の方式のように様々な問題を生ずることがなく、また前述のような近年の要望に対しても容易に対応することができる太陽電池パネルを用いた外装構造、及びその施工方法を提供することを目的とする。
【課題を解決するための手段】
【０００６】
本発明は、上記に鑑み提案されたもので、下地に固定された縦支持材に、流れ方向に所定間隔を隔てて流水部を備える横支持材を桁行き方向に配設、固定し、流れ方向に隣接する横支持材間に、太陽エネルギー変換モジュールを備える太陽電池パネルを取り付けられたことを特徴とする太陽電池パネルを用いた外装構造に関するものである。
【０００７】
また、本発明は、前記外装構造において、太陽電池パネルの側縁を横支持材に挟持状に取り付けたことを特徴とする太陽電池パネルを用いた外装構造をも提案するものである。
【０００８】
また、本発明は、前記外装構造において、横支持材の流水部は、縦支持材に設けた流れ方向に連続する排水部と連絡させていることを特徴とする太陽電池パネルを用いた外装構造をも提案するものである。
【０００９】
さらに、本発明は、前記外装構造において、横支持材は、上方が開放する収容空間を備えるケーブルカバーの取付受部を備え、該取付受部に、太陽電池パネルのケーブルを収容したケーブルカバーを取り付けてなることを特徴とする太陽電池パネルを用いた外装構造をも提案するものである。
【００１０】
また、本発明は、下地に固定された縦支持材に、流れ方向に所定間隔を隔てて流水部を備える横支持材を桁行き方向に配設、固定する工程と、流れ方向に隣接する横支持材間に、太陽エネルギー変換モジュールを備える太陽電池パネルを取り付ける工程と、を含むことを特徴とする太陽電池パネルを用いた外装構造の施工方法をも提案するものである。
【発明の効果】
【００１１】
本発明の太陽電池パネルを用いた外装構造は、下地に固定された縦支持材に、流れ方向に所定間隔を隔てて流水部を備える横支持材を桁行き方向に配設、固定し、流れ方向に隣接する横支持材間に、太陽エネルギー変換モジュールを備える太陽電池パネルを取り付けられた構成であるため、取り付け箇所が任意に選べ、建築物の立地条件やパネルの取付強度に応じた取り付けを安定して行うことができる。
また、様々なサイズの太陽電池パネルに適用でき、特に横長の太陽電池パネルの取付けに好適である。
さらに、太陽電池パネルと共に、採光パネルを取り付けることにより、一つの屋根面を、太陽電池パネルを備える外装面と備えない外装面とで構成することもできる。
【００１２】
また、太陽電池パネルの側縁を横支持材に挟持状に取り付ける場合、フレーム等の側縁構造は、その構造が簡単で生産や管理も容易であり、前述の従来技術（＝特許文献３）のようにジョイント部分での部材数の増加を招くものでもない。
【００１３】
また、横支持材の流水部は、縦支持材に設けた流れ方向に連続する排水部と連絡させている場合、雨水が例えば太陽電池パネルのフレームなどから裏面側へ浸入しても、横支持材の流水部から、縦支持材の排水部に導かれ、水下側へ流下させることができる。
【００１４】
さらに、横支持材は、上方が開放する収容空間を備えるケーブルカバーの取付受部を備え、該取付受部に、太陽電池パネルのケーブルを収容したケーブルカバーを取り付けた場合、下方側、すなわち室内側から見上げても、太陽エネルギー変換モジュールのケーブルがケーブルカバーの収容空間内に収容され、例えばケーブルが垂れ下がったりして見映えが悪いものとならない。
【００１５】
また、本発明の外装構造の施工方法は、下地に固定された縦支持材に、横支持材を配設して固定する工程も、流れ方向に隣接する横支持材間に太陽電池パネルを取り付ける工程も、それぞれに極めて容易に実施できるため、極めて作業性に優れている。
【図面の簡単な説明】
【００１６】
【図１】本発明の外装構造の一実施例を示す側断面図である。
【図２】（ａ）図１の要部を示す拡大側断面図、（ｂ）それに用いた横支持材及び横ケーブルカバーの拡大側断面図、（ｃ）それに用いた横桟カバーの拡大側断面図、（ｄ）別の態様の横ケーブルカバーの拡大正面図である。
【図３】図１の正面図である。
【図４】（ａ）図３の要部を示す拡大正面図、（ｂ）それに用いた縦支持材の拡大正面図、（ｃ）それに用いた縦桟カバーの拡大正面図、（ｄ）それに用いた縦ケーブルカバーの拡大正面図である。
【図５】図１の外装構造の施工状態を示す平面図である。
【図６】（ａ）他の一実施例の要部を示す拡大側断面図、（ｂ）それに用いた横支持材の拡大側断面図、（ｃ）それに用いた横ケーブルカバーの拡大分解側断面図である。
【図７】（ａ）他の一実施例の要部を示す拡大正面図（梁に取り付ける固定金具の側面図を付記した）、（ｂ）それに用いた縦支持材の拡大正面図、（ｃ）それに用いた縦ケーブルカバーの拡大分解正面図である。
【図８】他の一実施例の外装構造を示す背面図である。
【発明を実施するための形態】
【００１７】
本発明の太陽電池パネルを用いた外装構造は、下地に固定された縦支持材に、流れ方向に所定間隔を隔てて流水部を備える横支持材を桁行き方向に配設、固定し、流れ方向に隣接する横支持材間に、太陽エネルギー変換モジュールを備える太陽電池パネルを取り付けられたものである。
【００１８】
前記横支持材は、下地に固定された縦支持材に取り付けられる固定部と、雨水を桁行き方向に流す流水部と、太陽電池パネルを支持する支持部とを備えるものであり、後述する太陽電池パネルの横方向（桁行き方向）の寸法（長さ）と略同一か短く形成される定尺材であって、それ以外の構成は特に限定するものではない。
【００１９】
前記横支持材の固定部は、前述のように下地に固定された縦支持材に取り付けられるものである。
この固定部の具体的形状については、特に限定するものではなく、例えば後述する図示実施例のように縦支持材の排水部を構成する側壁部分の上端に設けた内側フランジに固定するものでもよい。
なお、下地とは、図示実施例では、後述する図示実施例では鉄骨躯体としての梁であるが、例えば既存屋根や野地等の下地材上でもよく、特に限定するものではない。
【００２０】
前記横支持材の流水部は、一般的に樋状に形成されるものであり、後述する図示実施例のように水上側と水下側に別々に設けてもよい。
この流水部の内部に導かれた雨水は、桁行き方向に流下され、後述する図示実施例のように、流れ方向に連続する排水部を備える縦支持材を配設して流水部を排水部と連絡させた場合には、さらに流水部から排水部へと導かれ、この排水部により水下方向へ排水される。
【００２１】
前記横支持材の支持部は、太陽電池パネルの周縁のうち、水上側及び水下側の側縁を支持するものであって、例えば後述する図示実施例のように前記流水部の略中央に隆起部を設け、該隆起部に設けてもよい。
【００２２】
前記太陽電池パネルは、太陽エネルギー変換モジュール（以下、太陽電池という）を備えるものであって、特にそれ以外の構成を限定するものではない。
例えば太陽電池を複数（並列状に）備える構成でもよいし、後述する図示実施例のように、横方向（桁行き方向）に長尺な太陽電池の周縁をシール材を介してフレームで取り囲んだ構成としてもよい。
【００２３】
前記太陽電池パネルにおける太陽電池としては、多結晶，単結晶，アモルファス等、どのようなものを用いてもよい。一般的に太陽電池は、導電性基体、裏面反射層、光電変換部材としての半導体層、透明導電層から構成され、上記導電性基体としては、例えば鋼板、銅、チタン、アルミニウム、ステンレス、カーボンシートを用いることができ、その他にも導電層が設けられたポリエステル、ポリイミド、ポリエチレンナフタライド、エポキシ等の樹脂フィルムやセラミックス等を用いることもできる。前記半導体層は特に限定するものではなく、アモルファスシリコン半導体、多結晶シリコン半導体、結晶シリコン半導体、銅インジウムセレナイド等の化合物半導体を用いることができる。例えば近年提案された可撓性を有するアモルファスシリコン太陽電池は極めて薄肉で軽量であるため好ましい。
【００２４】
前記太陽電池パネルは、前述のようにその周縁に、フレームを配してもよい。
このフレームは、太陽電池の周縁を保持して横支持材に支持されるものであり、言い換えれば、太陽電池の周縁を保持する保持部と、前記横支持材の支持部に支持される被支持部を有する構成である。
【００２５】
流れ方向に隣接する太陽電池パネル間には、横桟カバーを配してもよい。この横桟カバーは、後述する図示実施例のように横支持材に取り付けるようにしてもよいし、太陽電池パネルの周縁のフレームに固定するようにしてもよい。
同様に桁行き方向に隣接する太陽電池パネル間には、縦桟カバーを配してもよい。この縦桟カバーは、後述する図示実施例のように縦支持材に取り付けるようにしてもよいし、太陽電池パネルの周縁のフレームに固定するようにしてもよい。
【００２６】
また、前記横支持材は、上方が開放する収容空間を備えるケーブルカバーの取付受部を設けてもよい。この場合、下方側、すなわち室内側から見上げても、ケーブルが垂れ下がったりして見映えが悪くなることを防止する。
なお、後述する図示実施例では、前記取付受部を、下方へ突出する台座部の外側面に形成したが、特にこれに限定されるものではない。
さらに取付受部としては、ケーブルカバーを弾性的に嵌合する嵌合受部を設けることが望ましい。
【００２７】
前記ケーブルカバーは、太陽電池のケーブルを収納できる収容空間と横支持材への取付部とを備えることが望ましく、単一部材からなるものでも複数部材を組み合わせて構成されるものでもよい。
収納空間と取付受部とを備える単一部材からなる場合には、例えば後述する図示実施例（図２（ｂ）や図４（ｂ）参照）のように水上側の側面部分及び水下側の側面部分が上方へ起立する断面略Ｕ字状でもよい。また、取付受部としては、前記側面部分の外側に、前記横支持材の取付受部（嵌合受部）に弾性的に嵌合する嵌合突起（嵌合部）を設けることが望ましい。
複数部材を組み合わせて構成されるケーブルカバーとしては、例えば後述する図示実施例（図６（ｃ）や図７（ｃ）参照）のように収容空間を備える定尺材と、取付部を備えるピース材とを組み合わせた構成が望ましい。この構成では、収容空間の側方が開放状となるため、取り付けた後にケーブルを通すことが可能になる。そのため、後日のメンテナンス等もカバーを外すことなく行えるものとなる。
【００２８】
前記横支持材の固定部において説明した縦支持材は、前記横支持材が太陽電池パネルの横方向（桁行き方向）に延在する端縁を支持するのに対し、太陽電池パネルの縦方向（流れ方向）に延在する端縁を支持する部材である。
この縦支持材は、前述のように下地（図示実施例では鉄骨躯体としての梁上）に固定されるものであり、流れ方向に連続する排水部を備え、流れ方向に連続する通し材でもよいし、所定長さの定尺材を連結材にて接続した構成でもよい。
【００２９】
前記縦支持材の排水部は、前記横支持材における流水部と同様に一般的に樋状に形成されるものであり、後述する図示実施例のように左右に別々に設けてもよい。
また、前記縦支持材の太陽電池パネルを支持する支持部分は、例えば前記排水部の略中央に隆起部分を設け、該隆起部分に設けてもよいし、前記排水部を構成する左右の側面を上方へ延在させて太陽電池パネルのフレームを支持するようにしてもよく、それらの両方に設けてもよい。
【００３０】
さらに、前記縦支持材は、前記横支持材と同様に、上方が開放する収容空間を備えるケーブルカバー（以下、横支持材に配するものを横ケーブルカバー、縦支持材に配するものを縦ケーブルカバーとする）の取付受部分を設けてもよい。
なお、後述する図示実施例では、前記取付受部分を、下方が解放する空間部の内側面に形成したが、この場合は空間部に縦ケーブルカバーが恰も収納されるように取り付けられる（図４参照）ため、下方側（室内側）から見上げた際に出っ張りがなく美麗な外観となる。
さらに取付受部分としては、縦ケーブルカバーを弾性的に嵌合する嵌合受部分を設けることが望ましい。
【００３１】
そして、本発明の太陽電池パネルを用いた外装構造は、下地に固定された縦支持材に、流れ方向に所定間隔を隔てて横支持材を桁行き方向に配設、固定し、流れ方向に隣接する横支持材間に太陽電池パネルを取り付けられた構造であって、取り付け箇所が任意に選べ、建築物の立地条件やパネルの取付強度に応じた取り付けを安定して行うことができ、また様々なサイズの太陽電池パネルに適用でき、特に横長の太陽電池パネルの取付けに好適である。
【実施例１】
【００３２】
図１に示す外装構造は、要部を拡大して図２（ａ）に示すように下地４としての躯体（以下、単に躯体４という）上に固定された縦支持材６に、流れ方向に所定間隔を隔てて横支持材２を桁行き方向に配設、固定し、流れ方向に隣接する横支持材２，２間に、太陽電池パネル１を取り付け固定すると共に流れ方向に隣接する太陽電池パネル１，１間（フレーム１２Ａ，１２Ｂ間）に横桟カバー３を固定した構成である。なお、太陽電池パネル１のフレームのうち水上側を１２Ａとし、水上側を１２Ｂとし、左方側を１２Ｃとし、右方側を１２Ｄとし、総称的な説明においては１２とする。
【００３３】
前記太陽電池パネル１は、横長の太陽電池１１の周縁にフレーム１２を配したものであり、水上側及び水下側に配されるフレーム１２Ａ，１２Ｂは、上端にシール材１３を介して太陽電池１１の端縁を保持する略コ字状の保持部１２１と、下方に延在して横支持材２に支持される略Ｌ字状の被支持部１２２を有する簡易な構成である。
【００３４】
前記横支持材２は、図２（ｂ）に拡大して示すように上下左右にそれぞれ突出する断面略十字状の枠体であって、前記太陽電池パネル１の水上側の端縁及び水下側の端縁を支持する横桟であって、躯体４上に固定された縦支持材６に取り付けられる固定部２１と、雨水を桁行き方向に流す略樋状の流水部２２と、太陽電池パネル１を支持して固定する支持部２３とを備え、図３に示すように前記太陽電池パネル１の横方向（桁行き方向）の寸法（長さ）と略同一に形成された定尺材である。
【００３５】
前記横支持材２の固定部２１は、後述する流水部２２の桁行き方向の端縁であって、図示実施例では、躯体４上に固定した縦支持材６の排水部６２を構成する側壁部分の上端に形成した内側フランジ（受部６２１）に固着具２８，２８を用いて固定した。
【００３６】
前記横支持材２の流水部２２は、後述する縦支持材６の排水部６２よりも高い位置に樋状に形成されるものであり、下方に突出する台座部２０が流水部２２を排水部６２より高い位置に配する役割を果たす。この流水部２２の側壁面部の上端には、左右のフレーム１２Ｃ，１２Ｄの裏面を受け止め支持するフランジ状の受部２２１，２２１が設けられる。また、この流水部２２の略中央には、上方へ突出する隆起部２４が設けられているため、流水部２２は水上側と水下側に分断されている。
この流水部２２は、後述する縦支持材６の排水部６２に連絡（連結）されているため、流水部２２内に導かれた雨水は排水部６２へと導かれ、この排水部６２により水下方向へ排水される。
【００３７】
なお、図示実施例では、水下側の受部２２１に、上方へ延在して太陽電池パネル１の裏面にシール材２２３を介して当接する雨水ガイド２２２を取り付けているので、雨水が太陽電池パネル１の裏面側に回り込むことなく確実に流水部２２に導く（落下させる）ことができる。
【００３８】
前記横支持材２の支持部２３は、前記流水部２２内に形成した隆起部２４の水上側及び水下側の肩状部分を指し、太陽電池パネル１，１の水上側及び水下側のフレーム１２Ａ，１２Ｂの被支持部１２２，１２２を受け止め支持している。
【００３９】
また、図示実施例では、前記横支持材２の台座部２０の長さ方向の途中（桁行き方向の端縁を除く部分）の裏面側に、上方が開放する収容空間５０を有する横ケーブルカバー５Ａを配し、ケーブル１１１を収容するようにした。
前記台座部２０には、底面から水上側及び水下側へ鏃状に突出する一対の嵌合受部２０１を設けた。そして、横ケーブルカバー５Ａは、水上側の端縁及び水下側の端縁が上方へ起立する断面略Ｕ字状であって桁行き方向に連続する定尺材であり、水上側及び水下側の各起立部５１の上端の内側には、前記台座部２０の嵌合受部２０１に下方から弾性的に嵌合する一対の嵌合部５２が設けられている。この横ケーブルカバー５Ａは、桁行き方向の端縁に形成される台座部２０を避けて配設するため、その長さは図３に示されるように横支持材２よりも短く形成されている。
なお、図２（ｄ）に点線にて示した横ケーブルカバー５Ａ"は、収納するケーブル１１１の量に応じて収容空間５０"の容量を意図的に大きくしたものである。
【００４０】
前記横桟カバー３は、図２（ｃ）に拡大して示すように前記流れ方向に隣接する太陽電池パネル１，１のフレーム１２Ａ，１２Ｂ間に固定されるものであり、略平坦状の上面部３１と該上面部３１の裏面側から下方へ向かって垂下する対向状の縦片からなるスペース部３２とを備える。
そして、図示実施例では前記隆起部２４からさらに上方へ突出状に設けた塔状部２５の上端に取付ボルト２６を上向きに取り付け、この取付ボルト２６に前記横桟カバー３を挿通させて取り付け、押さえ板を介して先端にナット２７を取り付けて固定した。
この配設状態において、対向状に配設される太陽電池パネル１，１のフレーム１２Ａ，１２Ｂ間に前記横桟カバー３のスペース部３２を上方から挿入状に配設され、その上面部３１がフレーム１２Ａ，１２Ｂを上方から被覆状に押さえる状態となって留め付けられている。なお、上面部３１とフレーム１２Ａ，１２Ｂとの間には、シール材３０を介在させた。
【００４１】
前記縦支持材６は、図３、及び要部を拡大して図４（ａ），（ｂ）に示すように躯体としての梁４上に固定されるものであり、躯体４への固定部分６１と、太陽電池パネル１の縦方向（流れ方向）に延在する端縁を支持する支持部分６３と、流れ方向に連続する排水部６２とを備える縦桟である。
【００４２】
前記縦支持材６の固定部分６１は、梁（母屋）４に固定された固定金具４ａ，４ｂを介して固定される左右一対の部分を指し、上方から下方へ押圧状に取り付けることにより、弾性的に嵌合して固定される構成である。なお、固定金具４ａは、リップ溝付きＣ形鋼である梁４の上フランジの先端の下向き片に対して下方から取り付けられ、これと固着具４ｃにより固定される固定金具４ｂは、係合片を有する起立面部を備える構成である。
そして、前記固定部分６１は、後述する排水部６２の略中央に下方が解放する隆起部分６４の内面（内側側面）に嵌合用の楔状の突部が左右一対に形成された構成であり、その内面空間に固定金具４ｂの起立面部を配置させて取り付けた。
さらに、後述する排水部６２を構成する底面から外側へ延在する横片を第２固定部分６１'とし、この第２固定部分６１'に固着具を打ち込んだり固着金具を用いて固定するようにしてもよい。
【００４３】
前記縦支持材６の排水部６２は、樋状に形成されるものであり、その側壁面部の上端には、左右の横支持材２，２の流水部２２，２２の裏面を受け止め支持する内側フランジである受部６２１，６２１が設けられている。また、この排水部６２の略中央には、上方へ突出する隆起部分６４が設けられているため、左右に分断されている。
そして、この排水部６２には、前記横支持材２の流水部２２が連絡されているため、この流水部２２内に導かれた雨水は、さらに流水部２２から排水部６２へと導かれ、この排水部６２により水下方向へ排水される。
【００４４】
また、前記縦支持材６の支持部分６３は、前記排水部６２内に形成した隆起部分６４の左右の肩状部分を指し、太陽電池パネル１，１の左方側及び右方側のフレーム１２Ｃ，１２Ｄの被支持部１２２，１２２を受け止め支持している。
【００４５】
また、図示実施例では、前記縦支持材６の長さ方向の途中（躯体４への固定部分を除く部分）の裏面側に、上方が開放する収容空間８０を有する縦ケーブルカバー８Ａを配し、太陽電池１１のケーブル１１１を収容するようにした。この縦ケーブルカバー８Ａは、前記横ケーブルカバー５と同様にケーブル１１１の垂れ下がりを防止して室内側からの見映えをよくする効果がある。
この縦ケーブルカバー８Ａは、左右の端縁が上方へ起立する断面略Ｕ字状であって流れ方向に連続する定尺材であり、左右の起立部８１，８１の上端の外側に、前記隆起部分６４の内部空間（空間部６８の内面に形成した楔状の突部である嵌合受部分）に下方から弾性的に嵌合する左右一対の嵌合部８２が設けられている。すなわち前記躯体４への固定部分においては、固定金具４ｂと嵌合させていた楔状の突部である固定部分６１は、ここでは縦ケーブルカバー８Ａを下方から嵌合状に取り付ける嵌合受部分を兼ねる。この縦ケーブルカバー８Ａは、躯体４への固定部分を避けて配設するため、その長さは図１に示されるように横支持材２よりも短く形成されている。
【００４６】
さらに、左右方向に隣接する太陽電池パネル１，１のフレーム１２Ｄ，１２Ｃ間には、図４（ｃ）に示すような縦桟カバー７を固定した。
この縦桟カバー７は、略平坦状の上面部分７１と該上面部分７１の裏面側から下方へ向かって垂下する対向状の縦片からなるスペース部分７２とを備える。
そして、図示実施例では前記隆起部分６４からさらに上方へ突出状に設けた塔状部分６５の上端に取付ボルト６６を上向きに取り付け、この取付ボルト６６に前記縦桟カバー７を挿通させて取り付け、先端にナット６７を取り付けて固定した。
この配設状態において、対向状に配設される太陽電池パネル１，１のフレーム１２Ｃ，１２Ｄ間に前記縦桟カバー７のスペース部分７２を上方から挿入状に配設され、その上面部７１がフレーム１２Ｃ，１２Ｄを上方から被覆状に押さえる状態となって留め付けられている。なお、上面部７１とフレーム１２Ａ，１２Ｂとの間には、シール材７０を介在させた。
【００４７】
そして、図示実施例の太陽電池パネルを用いた外装構造の施工方法は、以下の（１）〜（４）の手順にて施工される。
【００４８】
（１）まず、躯体４上に流れ方向に所定間隔を隔てて前記構成の横支持材２を桁行き方向に配設、固定する。
図示実施例では、梁（母屋）４に固定金具４ａ〜４ｃを取り付け、その後、固定金具４ｂに対し、流れ方向に沿うように縦支持材６の固定部分６１を押圧状に取り付ける。
その後、この縦支持材６の排水部６２を構成する側壁面部の上端に形成した内側フランジである受部６２１，６２１に、前記構成の横支持材２の固定部２１である流水部２２の端縁を固着具２８を用いてを取り付け固定する。
【００４９】
（２）次に、流れ方向に隣接する横支持材２，２間に、周縁にフレーム１２を配した太陽電池パネル１を取り付け固定する。
太陽電池パネル１を配設するに際しては、その桁行き方向の端縁を横支持材２に支持させ、その流れ方向の端縁を縦支持材６に支持させる。具体的には、太陽電池パネル１の水上側及び水下側のフレーム１２Ａ，１２Ｂの各被支持部１２２を、横支持材２，２の支持部２３，２３に支持させ、太陽電池パネル１の左右のフレーム１２Ｃ，１２Ｄの各被支持部１２２を縦支持材６，６の支持部分６３，６３に支持させるように配設する。
【００５０】
（３）その後、取り付けた太陽電池パネル１，１のフレーム１２，１２間に横桟カバー３及び縦桟カバー７を固定する。
横桟カバー３は、横支持材２の塔状部２５に取り付けた上向きの取付ボルト２６に挿通させて取り付け、押さえ板を介して先端にナット２７を取り付けて固定した。
同様に縦桟カバー７は、縦支持材６の塔状部分６５に取り付けた上向きの取付ボルト６６に挿通させて取り付け、先端にナット６７を取り付けて固定した。
【００５１】
（４）さらにその後、横ケーブルカバー５Ａ，縦ケーブルカバー８Ａを配して太陽電池１１のケーブル１１１を収容する。
裏面側から、横ケーブルカバー５Ａを臨ませ、その収容空間５０内にケーブル１１１を収容させつつ、横支持材２の台座部２０に設けた嵌合受部２０１に下方から嵌合部５２を弾性的に嵌合させて取り付ける。
縦ケーブルカバー８Ａについては、縦支持材６の隆起部分６４の内面に形成した楔状の突部である嵌合受部分（固定部分６１）に下方から楔状の嵌合部分８２を弾性的に嵌合させて取り付ける。
【００５２】
このように施工される本発明の太陽電池パネル１を用いた外装構造は、図５に示すように様々なサイズの太陽電池パネル１に適用でき、特に横長の太陽電池パネル１の取付けに好適である。なお、予め太陽電池パネル１の縦横の寸法に応じて横支持材２及び縦支持材６の配設間隔を定めることは説明するまでもない。
さらに、本発明におけるフレーム１２は、太陽電池１１の周縁を保持して横支持材２に支持されるものであるから、その構造は簡単で生産や管理も容易であり、ジョイント部分での部材数の増加を招くものでもない。
【００５３】
また、図示実施例では、横支持材２が、躯体４としての梁上に流れ方向に連続する排水部６２を備える縦支持材６に配設され、流水部２２を排水部６２と連絡させたので、雨水が太陽電池パネル１のフレーム１２から裏面側へ浸入しても、横支持材２の流水部２２から縦支持材６の排水部６２に導かれ、水下側へ流下させることができる。
【００５４】
さらに、図示実施例では、横支持材２の裏面側に、上方が開放する収容空間を有する横ケーブルカバー５Ａを配し、縦支持材６の裏面側に、上方が開放する収容空間を有する縦ケーブルカバー８Ａを配したので、下方側、すなわち室内側から見上げても、太陽電池１１のケーブル１１１が各ケーブルカバー５Ａ，８Ａの収容空間５０，８０内に収容され、例えばケーブル１１１が垂れ下がったりして見映えが悪いものとならない。
【００５５】
特に縦支持材６には空間部を設けて縦ケーブルカバー８Ａを収納状に取り付けたので、下方側（室内側）から見上げた際に出っ張りがなく美麗な外観となる。
【００５６】
図６及び図７には、複数部材５ｘ，５ｙから構成される横ケーブルカバー５Ｂ、複数部材８ｘ，８ｙから構成される縦ケーブルカバー８Ｂを用いた外装構造を示す。なお、他の横支持材２や縦支持材６、太陽電池パネル１などについては、全く同様であるから図面に同一符号を伏して説明を省略する。
【００５７】
この実施例におけるの横ケーブルカバー５Ｂは、図６（ｃ）に示すように略樋状の断面を有して取付部（嵌合部５２'）を備えるピース金具５ｘと、幅広な略樋状断面を有する収容空間５０'を備える定尺材である定尺金具５ｙとからなる。
前記ピース金具５ｘは、前記横ケーブルカバー５Ａと略同様の断面形状を有し、対向する起立部の上端内側に一対の嵌合部５２'を備え、樋状の底辺から水上側及び水下側へそれぞれ延在する一対の連結部５３が設けられている。
前記定尺金具５ｙは、略平坦状の底面の水上側及び水下側の端縁が起立（起立片５５）する幅広の収容空間５０'を備え、各起立片５５の上端には内側フランジ状の支持部５５１が設けられ、底面の表面側には、前記ピース金具５ｘの連結部５３が嵌合する一対の横溝状の連結受部５４が設けられている。
そして、前記ピース金具５ｘの連結部５３を、前記定尺金具５ｙの連結受部５４に嵌合させて連結することができる。
【００５８】
この実施例における縦ケーブルカバー８Ｂは、図７（ｃ）に示すように略深樋状の断面を有して取付部（嵌合部８２'）を備えるピース金具８ｘと、幅広な略樋状断面を有する収容空間８０'を備える定尺材である定尺金具８ｙとからなる。
前記ピース金具８ｘは、前記縦ケーブルカバー８Ａに比べて深い（高い）ものの略同様の断面形状を有し、対向する起立部の上端外側に一対の嵌合部８２'を備え、樋状の底辺から水上側及び水下側へそれぞれ延在する一対の連結部８３が設けられている。
前記定尺金具８ｙは、前記横ケーブルカバー５Ｂを構成する定尺金具５ｙと同一構成を有し、８４は連結受部分、８５は起立片、８５１は支持部分である。
そして、前記ピース金具８ｘの連結部８３を、前記定尺金具８ｙの連結受部８４に嵌合させて連結することができる。
【００５９】
なお、この図示実施例における縦支持材６は、固定金具４ｄ〜４ｆを介して梁（母屋）４に取り付けられている。
この固定金具４ｄ〜４ｆについては、図７（ａ）の正面図に側断面図を付記して示しており、略Ｕ字状の固定金具４ｄは、リップ溝付きＣ形鋼である梁４を下方から覆うように取り付けられ、この固定金具４ｄの上端のフランジ上に、略Ｕ字状の固定金具４ｅを載置状に配して固着具４ｆにて一体的に固定した構成である。また、固定金具４ｅには、縦支持材６の固定部分６１に弾性的に嵌合する嵌合部が外向きに左右一対に形成されている。
したがって、梁（躯体）４への取り付けに関しても、前記実施例とほぼ同様に行うことができる。
【００６０】
このような構成を有する図示実施例の外装構造は、図８に示す背面状態を呈するものであり、太陽電池１１のケーブル１１１は、横ケーブルカバー５Ｂ及び縦ケーブルカバー８Ｂの各収容空間５０'，８０'に収容されて室内側へ垂れ下がることがなく、室内側からは横ケーブルカバー５Ｂの定尺金具５ｙの裏面、縦ケーブルカバー８Ｂの定尺金具８ｙの裏面が見えるに過ぎない。
【００６１】
そして、この実施例における横ケーブルカバー５Ｂ及び縦ケーブルカバー８Ｂでは、収容空間５０'，８０'の側方が開放状となるため、随時取り付けた後にケーブル１１１を通すことが可能になる。そのため、後日のメンテナンス等に際しても取り外しを必要としないので、容易にメンテナンス等を実施することができる。
【符号の説明】
【００６２】
１  太陽電池パネル
１１  太陽電池（太陽エネルギー変換モジュール）
１１１  ケーブル
１２，１２Ａ，１２Ｂ，１２Ｃ，１２Ｄ  フレーム
１３  シール材
２  横支持材
２０  台座部
２１  固定部
２２  流水部
２３  支持部
２４  隆起部
２５  塔状部分
２６  取付ボルト
３  横桟カバー
４  下地（躯体）
５Ａ，５Ｂ  横ケーブルカバー
５ｘ  ピース金具
５ｙ  定尺金具
５０  収容空間
５２  嵌合部
６  縦支持材
６１  固定部分
６２  排水部
６３  支持部分
６４  隆起部分
６５  塔状部分
６６  取付ボルト
７  縦桟カバー
８Ａ，８Ｂ  縦ケーブルカバー
８ｘ  ピース金具
８ｙ  定尺金具
８０  収容空間
８２  嵌合部
【図１】
2011052477.tif 000003
【図２】
2011052477.tif 000004
【図３】
2011052477.tif 000005
【図４】
2011052477.tif 000006
【図５】
2011052477.tif 000007
【図６】
2011052477.tif 000008
【図７】
2011052477.tif 000009
【図８】
2011052477.tif 000010